(57)【要約】【課題】  蛍光灯のウォームアップシーケンスにおいて、原稿があるときもしくは、原稿カバーが開いているときは、消灯しないようにすることにより、立あがり時間の短縮と、無駄な電気の消費を押さえるようにする。コストＵＰなしで、実現する。【解決手段】  原稿白色圧板シートの一部を黒くし、原稿カバーの開閉と、原稿の有無を検知する。  また、この結果、原稿がなく閉まっている時は、しばらく使われないと判断し、蛍光灯を消す。また、検知した場合は、これから使われる可能性があると判断し、蛍光灯をそのまま点灯させる。【選択図】  図１
2009105732.tif 000002
【特許請求の範囲】
【請求項１】
原稿を押さえる原稿カバーの白色シートの一部が、白色と異なる部分を持つ開閉可能な原稿カバーと、CCDセンサと光源として蛍光灯を備えるフラットベット読取ユニットと、前記読取ユニットが移動可能なように覆っているカバーと原稿を置く原稿ガラスで構成されている筐体をもつことを特徴とする画像形成装置。
【請求項２】
読取ユニットが、原稿ガラス上に、原稿があるかどうか検知することと、原稿カバーが閉じられていることを検知するため、一定時間経過後、前記読取ユニットが自動的に移動し、検知することを特徴とする請求項１に記載の画像形成装置。
【請求項３】
前記読取ユニットの蛍光灯を消灯させる際に、前記読取ユニットが、前記白色シートを読取ることを特徴とする請求項１又は請求項２に記載の画像形成装置。
【請求項４】
原稿を押さえる原稿カバーが白色であるシートの持つ開閉可能な原稿カバーと、CCDセンサと光源として蛍光灯を備えるフラットベット読取ユニットと、前記読取ユニットが移動可能なように覆っているカバーと原稿を置く原稿ガラスで構成されている筐体をもち、前記読取ユニットが、前記原稿ガラス上に、原稿があるかどうか検知することと、前記原稿カバーが閉じられていることを検知するため、一定時間経過後、前記読取ユニットが自動的に移動し、検知することを特徴とする画像形成装置。
【請求項５】
前記読取ユニットの蛍光灯を消灯させる際に、前記読取ユニットが、前記白色シートを読取ることを特徴とする請求項4に記載の画像形成装置。
【発明の詳細な説明】
【技術分野】
【０００１】
本発明は、ファクシミリ、複写機、複合機、スキャナなどの画像読取部を持った画像形成装置の読取部に関するものである。
【背景技術】
【０００２】
従来、CCD読取センサーを搭載している読取部においては、蛍光灯を用いているため、点灯してから、安定するまで、時間がかかる。そのため、実際の読取が終わってからも、次の読取に備えるため、一定時間、点灯したままにするように設定されている。この時間は、例えば、１時間、４時間など、ユーザーでも設定できるように作られている装置もある。
【０００３】
原稿有無の検知方法に関しては、特開平06-019007号公報に以下のように記載されている。
【０００４】
1．圧板と原稿の反射率の違いを用いて原稿サイズを検知する方法
2．原稿ガラスの内側に複数のフォトセンサを設置して、原稿サイズを検知する方法
3．突起状のアクチエータを用いて、原稿の有無を検知する方法
また、特開平08-201934号公報には、原稿ガラスの内側にミラーを配置し、そのミラーを介してセンサを配置する方法が記載されている。
【特許文献１】特開平06-019007号公報
【特許文献２】特開平08-201934号公報
【発明の開示】
【発明が解決しようとする課題】
【０００５】
従来のような構成にすると、次のような問題があった。
【０００６】
1．実際、最後にスキャナ-を使用した後、使わないにも関わらす、蛍光灯がつきっ放しで、電気をその間無駄に消費してしまうという問題があった。
【０００７】
2．一定時間経過後、スキャナーを使う際、当初は蛍光灯が消えているので、ウォームアップに時間がかかってしまっていた。
【０００８】
3．原稿ガラス上に置かれた原稿を検知する手段を設けた場合、新たにセンサーが必要であり、コストUPの要因になっていた。
【課題を解決するための手段】
【０００９】
原稿ガラス上に置かれた原稿を検知、もしくは、原稿カバーが置かれた状態を検知できる手段として、原稿読取に用いているＣCDセンサを用いて、原稿のスポンジシートを検知し、原稿の有無、および、原稿の開閉を検知できることにより、蛍光灯のウォームアップ時間を短縮するようにしたものである。
【発明の効果】
【００１０】
上記手段により、従来より、コストＵＰすることなく、原稿の有無と、原稿カバーの開閉を検知することができ、引いては、蛍光灯のウォームＵＰをタイミングよくできるため、消費電力と節約と、実読取時間の節約を図ることができる。
【発明を実施するための最良の形態】
【００１１】
次に本発明に係る一実施形態である画像読取装置について説明する。
【実施例１】
【００１２】
本実施形に係る画像読取記録装置を図に従って説明する。
【００１３】
図1は、本実施例の斜視図である。図2は、中央断面図、図３は、右側面の透視図、図４は、右カバーをはずした図である。図1、図2、図3、図4に示すように、パネル部1、スキャナー部2、記録部3、電気基板部4、カードスロット部5、原稿圧板部６により構成されている。
【００１４】
まず、パネル部1について説明する。
【００１５】
図5はパネル部の拡大図、図6はＬＣＤ部１１を開いた図、図７はパネルユニットのストッパ説明図、図８はパネルユニットのストッパ断面図、図９は、パネル部１を含んだ原稿押さえユニットの図である。
【００１６】
構造として、カラースタートキー13a、モノクロスタートキー13ｂ、ストップキー13c、十字キー13ｄ、モードキー13e、電源キー13ｆ、ファンクションキー13ｇ、が、それぞれ1つ以上のキーが一体的に構成されており、パネルカバー12の中に取り付けてある。パネル基板16上には、図示しないタクトスイッチがキー13の下に半田付けされている。ＬＣＤユニット1１の中には、図示しないＬＣＤモジュールと電気基板が内蔵されており、透明部材のＬＣＤ窓1１ａ表面に取り付けてある。ＬＣＤユニット1１は、ヒンジ1１ｂを中心に回転できるように構成されており、ユーザが操作できるようになっている。また、図７、図８に示すように、ＬＣＤユニット1１にヒンジ１１ｂが取り付けてあり、パネルユニット本体側にヒンジブラケット１１ｃがヒンジ１１ｂの中に入り込むように構成されている。また、スプリング１１ｄがヒンジ１１ｂとヒンジブラケット１１ｃの重なっているところにはめ込んであり、この部分を締め付けている。これによりLCD部１１が開閉されたときに抵抗、および摩擦により、自由な角度に保持することができる。図９に示すようにパネル部１は、原稿圧板部６に一体的に取り付けてあり、また、原稿圧板部６には、透過原稿を読み取るための光源である蛍光灯63a,63bが取り付けてあり、反射板62、拡散板64、インバータ61が取り付けてある。蛍光灯63a,63bが光ることにより、スキャナ部２の原稿ガラス２３に置いたフィルムを読み取ることができる。図２に示すように、パネル部１は、反射板62の装置手前部に配置してあり、反射板62の高さの範囲でパネル部１が収まるように配置してある。また、これらの配線は、図９に示すように、インバータ６１は、インバータ線65、パネル部１は、パネル線66に分かれて配置されており、原稿圧板部６の外に配線を出している。外に出た線は、それぞれ被覆をかぶせた線、65a,66bとなり、再び、装置の別の穴部から、装置の中に入っている。原稿圧板部６には、圧板ヒンジ67a,67bが取り付けてあり、原稿圧板６自体が回転可能であり、同時に、スキャナー部２の穴に上下可動で。厚みのあるブック原稿にも対応している。
【００１７】
次にスキャナー部2の説明をする。
【００１８】
図10は、原稿をセットする際の本体図である。ガラス23はカバー125により、上から押えられている。原稿の浮きを押える圧板21と、スポンジと白色シートで構成されている圧板白シート22スポンジフレーム22ａに取り付けてあり、圧板21がヒンジ124を介して取り付けられている。これらの内部部品はすべてスキャナフレーム120に取り付けられている。画像を読取るＣＣＤ読取ユニット24が、コピーやＰＣからのスキャン動作の時に、矢印Ｂの方向に駆動され、ガラス23を介して原稿を読取る。
【００１９】
ウォームアップ時のシーケンスについて説明する。
【００２０】
一定時間、例えば、１０分程度、操作されない状態が続くと、図２３に示すように、ＣＣＤ読取ユニット２４が中ほどに移動し、ガラスの状態を読取る。この状態で、図２４のように原稿２９が置かれている状態ではあると、たとえ圧板21が、閉じられた状態であっても、圧板白シートの黒部分２２ｂは読取ることができないため、原稿があると判断できる。また、原稿が置かれていない状態であっても、圧板２１が開いた状態であれば、同様に、読取ることができないので、操作中であることが判断できる。このように、原稿あり状態、もしくは、操作中であることと判断できた場合は、蛍光灯の消さずにそのまま点灯させる。また、一方、黒部分22ｂを検知した場合は、まだ、スキャンをこれから行わないか準備中ではないと判断し、蛍光灯を消し、スリープモードに移行させる。その際、CCDキャリッジユニットは、もとのホームポジションに移動させる。
【００２１】
次に、フィルムを読取る時の動作について説明する。図10のスポンジフレーム22ａは取外し出来るようになっており、図11のようにはずし、図12のように圧板21の一部である拡散板64が露出するようになっている。図13のように、取外したスポンジフレーム22ａには、フィルムガイド221が収納されており、図14のように取り外すことが出来る。図15に示すように、取り外したフィルムガイド221は、ガラス23上にセットし、固定部材221ａを上にあげ、ネガフィルム221ｂをセットし、再び、固定部材221ａを下に下げ固定する。そのあと、圧板21を閉めてフィルムを読取る準備が完了する。
【００２２】
次に、スキャナユニット部2を本体に取り付けている構造について説明する。図16、図１７に示すように、スキャナユニット2にはダンパーユニット７が左に取り付けている。図17は、スキャナユニット2を開いた状態にしたときの図で、スキャナフレーム120のヒンジ部120ａが、ミドルフレーム231の軸受け部231ｂに入っている。ミドルフレーム231には、左右にアンチショックユニット８が取り付けられている。ダンパーユニット７の構成について説明する。図19は、ダンパーユニット図、図20は内部の構造を示した図である。カバー71とダンパーベース75を外すと、ダンパーアーム72とダンパーアーム72に圧入してあるスプリングピン74a,74b,圧縮バネ73で構成されている。図19の状態では、矢印Jの方向に伸びる力がかかっており、ある程度伸びた状態で、スプリングピン74a,74bがカバー71に係合し、ストップするようになっている。このダンパーアームの軸部72aは、スキャナユニット２に、ダンパーベース75の軸部75aはミドルフレーム231に回転可能なように係合されている。図21において、軸受け部231 bと75aとを結ぶラインQより、上側ではスキャナユニット2は、Nの方向に、下側では、Pの方向に力がかかるようになり、ラインQを境に、トグルの関係なっている。次にアンチショックユニット８について説明する。ベース81にオイルダンパ84、ギア83、アーム82、ねじりコイルばね85で構成されており、図22に状態では、矢印K の方向にねじりコイルばね85で突き上げている。また、Lの方向に力がかかると、ギア83を通じて増速され、オイルダンパ84に作用し、抵抗を受けるようになる。図16の状態において、ダンパーユニット７は、Jの方向に伸びようとしているが、上記のトグルの関係でRの方向に力がかかっている。また、ミドルフレーム231で支えている軸部75aもMの方向の力を受けているが、この両方の軸部はともに、金属性の支え部材232で支えており、プラスチック部材で直接支えることはないので、クリープ変形などの恐れは少なくなる。図18は、上記のダンパーユニット7の力が上から、下へ変る角度附近の図で、図２１のラインQ上に、ダンパーアームの軸部72aがある。この状態において、アーム82は、ちょうどスキャナー部２に接触しており、ダンパーユニット７により、スキャナー部２が下へ引っ張られても、アンチショックユニット８により、減速され、閉まることを防止できる。また、スキャナー部２を持ち上げ、開くときには、アンチショックユニット８はスキャナー部２につながっていないため作用しない。従って、逆の力により、開くときの力が重くなることはない。
【００２３】
次に、記録部3について説明する。
【００２４】
図2で示すように、矢印Ｃの方向に記録紙100ａは搬送される。
【００２５】
積載された記録紙100ａは、図示しないカムにより中板36が押し上げられ、給紙ローラ34と分離ローラ35により一枚に分離され給送される。この分離機構は、実際に駆動されるのは給紙ローラ34で、分離ローラ35は、回転方向に一定以上のトルクがかからないと回転しないようになっており、複数枚の紙がこのローラ間に入ったとき、紙を分離する力より、分離ローラを回転させる力の方が強いので、一枚ずつ記録紙を搬送することができる。これらのローラで分離された原稿は搬送ローラ37ａとピンチコロ37ｂとの間に搬送され、一定速度でインクジェット印字部に搬送される。カートリッジ39は、ガイドシャフト134にガイドされ記録紙の送り方向に対して垂直方向に動かすことにより、記録紙に印字する。印字をした記録紙は、排紙ローラ対130により、記録紙排紙トレイ131に排出される。なお、排紙トレイ131は、記録の印字の開始とともに自動的に開くようになっている。これにより、ユーザーが、排紙トレイ131を開き忘れて、記録紙をJAMさせることを防止することができる。
【００２６】
尚、本実施例で使用しているインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式のプリント装置について説明したが、かかる方式によれば記録の高密度化、高精細化が達成できる。
【００２７】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて膜沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
【００２８】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００２９】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００３０】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００３１】
加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いてもよい。
【００３２】
また、本発明の記録装置の構成として設けられる、記録ヘッドに対しての回復手段、予備的な補助手段等を付加することは本発明の効果を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
【００３３】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００３４】
次に本画像読取記録装置のオペレーションの一例について説明する。図6のパネル部のキーを操作することにより、動作させる。たとえば、コピーを行うときの操作について説明する。電源キー13ｆを押す。次に、機能キー13ｅでコピーキー13ｅ-1を選択する。メニューキー13ｄ-1で、画質、記録させるメディアを選択、矢印キー13ｄ-2でコピー枚数を設定する。その後、圧板21を開けて、コピーしたい原稿をガラス23上にセットする。記録紙を記録紙トレイ32にセットし、最後にカラーコピーをするときはのカラースタートキー13ａを押し、モノクロコピーをするときは、モノクロスタートキー13ｂを押す。このように、パネル部1のキーは、操作する順番に左から右に操作することにより、すべての操作が抜けなく、自然におこなうことが出来るように配置されている。操作方法の例として、コピーで説明したが、最初の機能キー13ｅで、スキャンを選択すると、ＵＳＢを通じて接続されているＰＣからのスキャンをさせることができる。写真を選択すると、前述のカードスロット部5に挿入されている画像を直接記録部3に記録させることができる。
【実施例２】
【００３５】
実施例１の圧板白色シートの黒部を無しにして、全面白色にして、原稿の有無を、白色シートの色と、原稿の色の違いにより、判断し、開閉を判断させることができる。
【００３６】
これにより、実施例１と同様に、蛍光灯のウォームアップシーケンスを構成することができる。
【図面の簡単な説明】
【００３７】
【図１】本発明の実施例に係る画像読取記録装置の斜視図。
【図２】本発明の実施例に係る画像読取記録装置の断面図。
【図３】本発明の実施例に係る画像読取記録装置の右部の断面図。
【図４】本発明の実施例に係る画像読取記録装置の右カバーを外した図。
【図５】本発明の実施例に係る画像読取記録装置の原稿圧板ユニット図。
【図６】本発明の実施例に係る画像読取記録装置のパネル部の図。
【図７】本発明の実施例に係る画像読取記録装置のLCDヒンジ部の詳細図。
【図８】本発明の実施例に係る画像読取記録装置のLCDヒンジ部の断面図。
【図９】本発明の実施例に係る画像読取記録装置の原稿圧板内部の構造図。
【図１０】本発明の実施例に係る画像読取記録装置の原稿圧板開時の原稿台図。
【図１１】本発明の実施例に係る画像読取記録装置のスポンジフレーム取外し図。
【図１２】本発明の実施例に係る画像読取記録装置のスポンジフレーム取外し後の図。
【図１３】本発明の実施例に係る画像読取記録装置のスポンジフレーム図。
【図１４】本発明の実施例に係る画像読取記録装置のフィルムガイド取外し図。
【図１５】本発明の実施例に係る画像読取記録装置のフィルムガイドセット図。
【図１６】本発明の実施例に係る画像読取記録装置のスキャナユニット閉の図。
【図１７】本発明の実施例に係る画像読取記録装置のスキャナユニット開の図。
【図１８】本発明の実施例に係る画像読取記録装置のスキャナユニットトグル位置の図。
【図１９】本発明の実施例に係る画像読取記録装置のダンパーユニット図。
【図２０】本発明の実施例に係る画像読取記録装置のダンパーユニット構造図。
【図２１】本発明の実施例に係る画像読取記録装置のダンパーユニットトグル説明図。
【図２２】本発明の実施例に係る画像読取記録装置のアンチショックユニット図。
【図２３】本発明の実施例に係る画像読取記録装置の黒マーク検知時のＣＣＤ位置図。
【図２４】本発明の実施例に係る画像読取記録装置の原稿を置かれた状態の図。
【符号の説明】
【００３８】
１  パネル部
２  読取部
３  記録部
４  電気基板部
５  カードスロット部
６  原稿圧板部
７  ダンパーユニット
８  アンチショックユニット
１１  ＬＣＤユニット
１２  パネルカバー
２１  圧板
２２  圧板白色シート
２２ｂ  圧板白色シートの黒
２３  ガラス
２９  原稿
３９  カートリッジ
２３１  ミドルフレーム
【図１】
2009105732.tif 000003
【図２】
2009105732.tif 000004
【図３】
2009105732.tif 000005
【図４】
2009105732.tif 000006
【図５】
2009105732.tif 000007
【図６】
2009105732.tif 000008
【図７】
2009105732.tif 000009
【図８】
2009105732.tif 000010
【図９】
2009105732.tif 000011
【図１０】
2009105732.tif 000012
【図１１】
2009105732.tif 000013
【図１２】
2009105732.tif 000014
【図１３】
2009105732.tif 000015
【図１４】
2009105732.tif 000016
【図１５】
2009105732.tif 000017
【図１６】
2009105732.tif 000018
【図１７】
2009105732.tif 000019
【図１８】
2009105732.tif 000020
【図１９】
2009105732.tif 000021
【図２０】
2009105732.tif 000022
【図２１】
2009105732.tif 000023
【図２２】
2009105732.tif 000024
【図２３】
2009105732.tif 000025
【図２４】
2009105732.tif 000026